(57)【要約】【課題】  携帯端末機でデジタルＴＶ放送を受信するため、携帯端末機に２７ＭＨｚのＶＣＯ等の部品を追加せずに、本来、携帯端末機内部に備わるシステムクロックだけを用いて、再生音声の歪みを抑えながら放送局同期の同期精度向上を図る技術を提供する。【解決手段】  携帯電話機において、再生するＰＣＭデータのｆｓ設定値を調整して、携帯電話機の音声再生と放送局の基準クロックとの時間のズレを無くすことで放送局との同期を取る。その際、ズレが生じているかの比較の為、一定期間の上記２つの時間情報をより正確に求める為に、ＰＣＭデータ転送に用いるＤＭＡＣ転送完了割り込みを放送局に同期したクロックを再現する内部基準クロックカウント部のラッチ用トリガとして使用する。これにより、Ａｕｄｉｏ再生時間と同じ時刻の放送局の基準クロック時間を求めることが可能となり、同一期間内における上記２つの時間をより正確に求めることができる。【選択図】  図２
2006129142.tif 000002
【特許請求の範囲】
【請求項１】
放送局の基準クロックと異なるシステムクロックで動作している携帯端末機で、
前記携帯端末機のシステムクロックより生成され、前記放送局の基準時刻情報によって補正された内部基準クロックに基づいて、前記放送局に同期するクロックを再現し、
一定期間毎に経過する時間と音声再生時間とを比較し、前記経過する時間に対する前記音声再生時間の遅れ／進みの差を検出し、この差を打ち消すように前記音声再生時間を調整して、前記放送局との同期を取る場合の放送局同期方法であって、
音声を再生するためのＰＣＭデータ転送において、ＰＣＭデータの転送完了を示す信号を、前記放送局に同期したクロックを再現している内部基準クロックカウント部のラッチ用トリガとして用い、一定期間当たりの音声再生時間と同じ期間の放送局に同期したクロック時間を求めて、前記放送局との同期を取ることを特徴とする放送局同期方法。
【請求項２】
放送局の基準クロックと異なるシステムクロックで動作している携帯端末機で、
前記携帯端末機のシステムクロックより生成され、前記放送局の基準時刻情報によって補正された内部基準クロックに基づいて、前記放送局に同期するクロックを再現し、
一定期間毎に経過する時間と音声再生時間とを比較し、前記経過する時間に対する前記音声再生時間の遅れ／進みの差を検出し、この差を打ち消すように前記音声再生時間を調整して、前記放送局との同期を取る場合の放送局同期方法であって、
音声再生時、再生するＰＣＭデータのデータ数は変化させず、一定期間毎に、ＰＣＭデータをＤＡＣに出力する時のサンプリング周波数を調整して、前記放送局との同期を取ることを特徴とする放送局同期方法。
【請求項３】
放送局の基準クロックと異なるシステムクロックで動作している携帯端末機で、
前記携帯端末機のシステムクロックより生成され、前記放送局の基準時刻情報によって補正された内部基準クロックに基づいて、前記放送局に同期するクロックを再現し、
一定期間毎に経過する時間と音声再生時間とを比較し、前記経過する時間に対する前記音声再生時間の遅れ／進みの差を検出し、この差を打ち消すように前記音声再生時間を調整して、前記放送局との同期を取る場合の放送局同期方法であって、
音声を再生するためのＰＣＭデータ転送において、ＰＣＭデータの転送完了を示す信号を、前記放送局に同期したクロックを再現している内部基準クロックカウント部のラッチ用トリガとして用い、一定期間当たりの音声再生時間と同じ期間の放送局に同期したクロック時間を求めて、
音声再生時、再生するＰＣＭデータのデータ数は変化させず、一定期間毎に、ＰＣＭデータをＤＡＣに出力する時のサンプリング周波数を調整して、前記放送局との同期を取ることを特徴とする放送局同期方法。
【請求項４】
デジタルＴＶ放送の電波を電気信号に変換するアンテナと、前記アンテナにより出力された電気信号を復調する高周波部と、放送局の基準クロックとは異なる周波数のシステムクロックと、ＭＰＥＧ２−ＴＳデータからＶｉｄｅｏデータとＡｕｄｉｏデータを分離して再生するＣＰＵと、前記ＣＰＵで分離したＶｉｄｅｏデータをデコードして生成した描画データを表示する表示手段と、前記ＣＰＵで分離したＡｕｄｉｏデータをデコードして生成したＰＣＭデータをアナログ音声に変換するＤＡＣと、前記ＤＡＣにより変換されたアナログ音声を拡声するスピーカとを有する携帯端末機であって、
前記ＣＰＵは、前記ＭＰＥＧ２−ＴＳデータからＰＣＲを抽出するＴＳ処理部と、前記ＭＰＥＧ２−ＴＳデータをＶｉｄｅｏデータとＡｕｄｉｏデータに分離するＴＳ−ＤｅＭｕｘ部と、前記ＴＳ−ＤｅＭｕｘ部により分離されたＡｕｄｉｏデータをＰＣＭデータに変換するＡｕｄｉｏデコード部と、前記Ａｕｄｉｏデコード部により変換されたＰＣＭデータを、設定したサンプリング周波数で出力するＡｕｄｉｏ制御部と、前記ＣＰＵ内の各部を制御するＣＰＵコア部と、前記ＣＰＵコア部に代わってＰＣＭデータを前記Ａｕｄｉｏ制御部に転送するＤＭＡＣとを備え、
前記ＴＳ処理部は、前記ＭＰＥＧ２−ＴＳデータのヘッダー部分に重畳されるＰＣＲを抽出するＰＣＲ抽出部と、前記システムクロックから前記携帯端末機の内部基準クロックを生成する内部基準クロック生成部と、前記携帯端末機の内部基準クロックによってカウントアップ動作を行い、カウント値補正情報によってカウント値の補正を行う内部基準クロックカウント部と、前記ＰＣＲ抽出部より出力されたＰＣＲ値と前記内部基準クロックカウント部より出力されたカウント値を比較し、値が異なる場合は前記内部基準クロックカウント部へカウント値補正情報を出力する比較部と、ＤＭＡＣ転送完了割り込みによって前記内部基準クロックカウント部のカウント値を前記ＣＰＵコア部が読み出すまで保持する内部基準クロックカウント値保持部とを備えることを特徴とする携帯端末機。
【請求項５】
請求項４記載の携帯端末機において、
前記Ａｕｄｉｏ制御部は、前記ＰＣＭデータのサンプリング周波数やステレオ／モノラルの設定を行うＰＣＭデータ処理部と、前記ＰＣＭデータのタイミングを制御して前記ＤＡＣに出力するＤＡＣ−ＩＦ部と、前記Ａｕｄｉｏ制御部に入力されるＰＣＭデータをバッファリングする入力ＦＩＦＯと、前記ＤＡＣに出力するＰＣＭデータをバッファリングしておく出力ＦＩＦＯとを備えることを特徴とする携帯端末機。
【請求項６】
請求項５記載の携帯端末機において、
前記内部基準クロック生成部によって前記放送局の基準クロックとは非同期で周波数も異なる前記携帯端末機のシステムクロックより生成された内部基準クロックで、前記内部基準クロックカウント部はカウントアップ動作を行い、前記ＰＣＲ抽出部によってＭＰＥＧ２−ＴＳデータより抽出されたＰＣＲ値と前記内部基準クロックカウント部のカウント値を前記比較部で比較を行い、前記内部基準クロックカウント部のカウント値とＰＣＲ値が異なった場合は、ＰＣＲ値をカウント値に置き換えて前記放送局に同期したクロックを再現し、
音声を再生するために、前記ＤＭＡＣによってＰＣＭデータは前記Ａｕｄｉｏ制御部に転送され、一定サンプル数のＰＣＭデータが転送されると前記ＤＭＡＣは転送完了割り込みを発行し、前記転送完了割り込みによって前記内部基準クロックカウント部のカウント値をラッチし、前記内部基準クロックカウント値保持部でラッチしたカウント値を保持し、前記内部基準クロックカウント値保持部で保持したカウント値と音声再生時間の比較を行い、前記内部基準クロックカウント部で再現した放送局に同期したクロックの時間に対する携帯端末機の音声再生時間の遅れ／進みの差を前記ＣＰＵコア部が判定し、
前記ＣＰＵコア部は、前記ＤＡＣへ出力する際に、前記音声再生時間の遅れ／進みの差を補正するように前記ＰＣＭデータ処理部に設定する入力サンプリング周波数を調整することを特徴とする携帯端末機。
【請求項７】
請求項６記載の携帯端末機において、
前記ＣＰＵコア部は、前記内部基準クロックカウント部のカウント値と音声再生時間の比較を行う期間を任意に設定可能であることを特徴とする携帯端末機。
【請求項８】
請求項６記載の携帯端末機において、
前記ＣＰＵコア部は、前記ＰＣＭデータ処理部に設定する入力サンプリング周波数を所定の範囲内で補正可能であり、
前記ＣＰＵコア部によって補正されたサンプリング周波数によって音声再生が行われることを特徴とする携帯端末機。
【請求項９】
請求項８記載の携帯端末機において、
前記所定の範囲は、人間の聴覚特性に対して許容される程度にあらかじめ規定された範囲であることを特徴とする携帯端末機。
【発明の詳細な説明】
【技術分野】
【０００１】
本発明は、デジタルＴＶ放送受信システムにおける放送局同期技術に関し、特に、放送局側の基準時間情報と受信する携帯端末機側のＡｕｄｉｏ再生時間とを比較して、両者の時間経過のズレを求め、Ａｕｄｉｏ再生時間を調整することでズレを無くすように制御する放送局同期方法、及び携帯端末機に適用して有効な技術に関する。
【背景技術】
【０００２】
本発明者が検討したところによれば、従来のデジタルＴＶ放送受信システムにおける放送局同期技術に関しては、以下のような技術が考えられる。
【０００３】
例えば、近年、デジタルＴＶ放送受信機における放送局との同期方法として、ＶＣＯ（Ｖｏｌｔａｇｅ  Ｃｏｎｔｒｏｌｌｅｄ  Ｏｓｃｉｌｌａｔｏｒ）の様な電圧帰還型発振器ではなく、コストの安い無帰還型発振器を用い、放送局基準時刻情報ＰＣＲ（Ｐｒｏｇｒａｍ  Ｃｌｏｃｋ  Ｒｅｆｅｒｅｎｃｅ）と再生Ａｕｄｉｏのタイムスタンプを比較してズレを検出し、そのズレ補正することで放送局との同期を取る方式が提案されている（例えば、特許文献１参照）。
【特許文献１】特開２００４−２３１３６号公報（第１図）
【発明の開示】
【発明が解決しようとする課題】
【０００４】
ところで、前記のようなデジタルＴＶ放送受信システムにおける放送局同期技術に関して、本発明者が検討した結果、以下のようなことが明らかとなった。
【０００５】
例えば、携帯電話機のシステムクロックは主に通信を目的とした周波数のため、デジタルＴＶ放送の受信に必要な２７ＭＨｚの放送局基準クロックとは、非同期で周波数も異なる。固定受信機と同じ２７ＭＨｚのＶＣＯとＰＬＬを搭載すれば、容易に放送局と同期は取れるが、コストアップや部品追加による携帯電話機の大型化、別クロック追加による不要輻射などの問題が生じる。更には、部品追加による消費電流増加で、視聴時間が短くなり、喜ばしくない。
【０００６】
また、前記特許文献１における放送局同期方法では、１つのクロックのみを用いて放送局との同期を取る方法が提案されているが、必ずＰＣＭデータ本来のｆｓで音声再生が行われるように、ＰＣＭデータのデータ数を調整している。従って、データ数を補完することによって、同じデータが重複して再生されたり、逆に、途中のデータが抜き取られて再生されたりするため、再生音声には歪みが生じてしまう。
【０００７】
そこで、本発明の目的は、携帯端末機でデジタルＴＶ放送を受信するため、携帯端末機に２７ＭＨｚのＶＣＯ等の部品を追加せずに、本来、携帯端末機内部に備わる通信用システムクロックだけを用い、再生音声の歪みを抑えながら放送局同期の同期精度向上を図ることができる放送局同期技術を提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
本発明では、再生するＰＣＭデータのｆｓ設定値を調整して、携帯端末機の音声再生と放送局の基準クロックとの時間のズレを無くすことで放送局との同期を取る。その際、ズレが生じているかの比較を行うために、一定期間の上記２つの時間情報をより正確に求めることで、上記課題を解決出来る。
【００１１】
この為に、ＰＣＭデータ転送に用いるＤＭＡＣ（Ｄｉｒｅｃｔ  Ｍｅｍｏｒｙ  Ａｃｃｅｓｓ  Ｃｏｎｔｒｏｌｌｅｒ）のＤＭＡＣ転送完了割り込みを放送局に同期したクロックを再現する内部基準クロックカウント部のラッチ用トリガとして使用する。これにより、Ａｕｄｉｏ再生時間と同じ時刻の放送局の基準クロック時間を求めることが可能となり、同一期間内における上記２つの時間を、より正確に求めることが可能となる。
【００１２】
また、上記２つの時間のズレを補正する方法として、Ａｕｄｉｏ−ＤＡＣに出力するＰＣＭデータ数を増減させるのではなく、音声再生部におけるｆｓ値を変化させて、Ａｕｄｉｏ−ＤＡＣに出力するＰＣＭデータのタイミングを調整することを考える。
【００１３】
これであれば、ＰＣＭデータをＡｕｄｉｏ−ＤＡＣに出力するｆｓ値を、ＰＣＭデータ本来のｆｓに対して人間の聴覚特性上、許容できる範囲内でプラス調整／マイナス調整することで、ＰＣＭデータ本来のｆｓでＡｕｄｉｏ−ＤＡＣに出力される時間と比べ、出力時間を遅く／早くできる。よって、ＰＣＭデータ数を増減させること無く、音声再生時間の調整を行うことができるので、歪みを抑えた音声再生が可能となり、更に、Ａｕｄｉｏ−ＤＡＣ転送時のｆｓを補正したことによる聴感上の違和感も無い。
【００１４】
以上の方法であれば、再生音声の歪みを抑えながら、放送局との同期を取ることが可能となる。
【発明の効果】
【００１５】
本願において開示される発明のうち、代表的なものによって得られる効果を簡単に説明すれば以下のとおりである。
【００１６】
本発明によれば、安価で小さい携帯端末機の提供が可能になる。
【発明を実施するための最良の形態】
【００１７】
以下、本発明の実施の形態を図面に基づいて詳細に説明する。なお、実施の形態を説明するための全図において、同一の部材には原則として同一の符号を付し、その繰り返しの説明は省略する。
【００１８】
本発明は、携帯端末機全般、例えば携帯電話、ＰＨＳ、ＰＤＡ等に適用可能であるが、ここでは携帯電話機を例に説明する。
【００１９】
本発明の一実施の形態として、図１から図８を用いて、２７ＭＨｚの放送局基準クロックと同一周波数のクロック発生器を持たない携帯端末機で、デジタルＴＶ放送を受信する際の放送局同期における同期精度を向上させる方法について説明する。
【００２０】
本実施の形態は、デジタルＴＶ放送受信機能を有する携帯端末機に適用され、ここでは、携帯端末機の一例として携帯電話機を用いて説明するが、これは本発明に適用される受信側の機器を限定するものでは無い。もちろん、携帯電話機以外の場合でも、同様の構成が可能である。
【００２１】
図１は、本実施の形態における携帯電話機の概略構成の一例を示すブロック構成図である。
【００２２】
本実施の形態における携帯電話機は、アンテナ１、無線通信手段２、符号復号処理手段３、マイク４、レシーバ５、通信用ＣＰＵ６、通信用メモリ７、入力手段８、システムクロック９、アプリケーションＣＰＵ１０、アプリケーションＣＰＵ用メモリ１１、ワークメモリ１２、表示手段１３、Ａｕｄｉｏ−ＤＡＣ（Ｄｉｇｉｔａｌ  Ａｎａｌｏｇ  Ｃｏｎｖｅｒｔｅｒ）１４、スピーカ１５、デジタルＴＶ放送受信用アンテナ２０、デジタルＴＶ放送用高周波部２１等から構成される。
【００２３】
アンテナ１は、電波を高周波電気信号に変換、また、その逆の変換を行うものである。無線通信手段２は、高周波電気信号を復調、また、符号復号処理手段３の出力信号を変調する手段である。符号復号処理手段３は、無線通信手段２の出力信号を復号し、レシーバ５や通信用ＣＰＵ６に出力し、逆に通信用ＣＰＵ６やマイク４の出力信号を符号化し、無線通信手段２に出力する手段である。通信用ＣＰＵ６は、主に電話機の通信に関わる処理、及び制御を行うＣＰＵである。通信用メモリ７は、通信用ＣＰＵ６のプログラム等を格納するメモリである。入力手段８は、数字キーやカーソルキー等の手段である。システムクロック９は、２７ＭＨｚクロックとは異なる周波数の、本携帯電話機のクロックである。
【００２４】
アプリケーションＣＰＵ１０は、主に携帯電話のアプリケーションに関わる処理、及び制御を行うＣＰＵである。アプリケーションＣＰＵ用メモリ１１は、アプリケーションＣＰＵ１０のプログラム等を格納するメモリである。ワークメモリ１２は、アプリケーション実行時の作業用エリアとなるメモリである。表示手段１３は、ＬＣＤ等の手段である。Ａｕｄｉｏ−ＤＡＣ１４は、ＰＣＭデータをアナログ音に変換するＤＡＣである。
【００２５】
デジタルＴＶ放送受信用アンテナ２０は、デジタルＴＶ放送の電波を受信し、高周波電気信号に変換するためのアンテナである。デジタルＴＶ放送用高周波部２１は、デジタルＴＶ放送受信用アンテナ２０より出力される高周波電気信号を復調する高周波部である。
【００２６】
図２は、デジタルＴＶ放送を受信するために必要となるアプリケーションＣＰＵ１０内の概略構成図の一例と、映像・音声データの流れの一例を示す図である。
【００２７】
アプリケーションＣＰＵ１０内は、デジタルＴＶ放送用高周波部２１から出力されたデジタル放送規格で使用されているプロトコルであるＭＰＥＧ２−トランスポートストリーム（以下、ＭＰＥＧ２−ＴＳと言う）から放送局基準時刻情報ＰＣＲ（Ｐｒｏｇｒａｍ  Ｃｌｏｃｋ  Ｒｅｆｅｒｅｎｃｅ）を分離するＴＳ処理部２００と、ＭＰＥＧ２−ＴＳを動画用エレメンタリ−ストリーム（以下、Ｖｉｄｅｏ−ＥＳと言う）と、オーディオ用エレメンタリ−ストリーム（以下、Ａｕｄｉｏ−ＥＳと言う）を分離するＴＳ−ＤｅＭｕｘ部２０１と、分離されたＶｉｄｅｏ−ＥＳをデコードし、表示手段１３で表示可能な描画データに変換するＶｉｄｅｏデコード部２０２と、描画データを表示手段１３に転送する表示制御部２０３と、分離されたＡｕｄｉｏ−ＥＳをデコードし、ＰＣＭデータに変換するＡｕｄｉｏデコード部２０４と、Ａｕｄｉｏ−ＤＡＣ１４へのＰＣＭデータ転送や、ＰＣＭデータを再生する時のサンプリング周波数（以下、ｆｓと言う）を設定するためのＡｕｄｉｏ制御部２０５と、上述の各処理の制御やＡｕｄｉｏ再生時間等の演算を行うＣＰＵコア部２０６と、例えばワークメモリ１２とＡｕｄｉｏ制御部２０５の間で、ＣＰＵに代わって高速でＰＣＭデータの転送を行うＤＭＡＣ２０７とを備え、更に、上述の処理によって生成された各種データを一時的に保持するためのＴＳバッファ３００と、Ｖｉｄｅｏ−ＥＳバッファ３０１と、描画データバッファ３０２と、Ａｕｄｉｏ−ＥＳバッファ３０３と、ＰＣＭデータバッファ３０４とで構成される。
【００２８】
ＴＳ処理部２００には、内部基準クロックを生成するための源クロックとなるシステムクロック９と、設定したサンプル数のＰＣＭデータ転送完了時にＤＭＡＣ２０７より出力されるＤＭＡＣ転送完了割り込みが入力される。また、任意のタイミングで、ＣＰＵコア部２０６からの値の読み出しを可能としている。
【００２９】
ＤＭＡＣ２０７は、ＤＭＡ（Ｄｉｒｅｃｔ  Ｍｅｍｏｒｙ  Ａｃｃｅｓｓ）転送回数を設定することが可能であり、設定した回数分のサンプル数のＰＣＭデータを転送する。デジタルＴＶ放送が終了するか、或いはユーザーが視聴終了操作を行うまで、繰り返しＤＭＡ転送は行われる。また、ＤＭＡＣ２０７は、設定したサンプル数のＰＣＭデータ転送が完了すると、ＤＭＡＣ転送完了割り込みを出力する。このＤＭＡＣ転送完了割り込みは、ＣＰＵコア部２０６に入力されて、ＣＰＵコア部２０６によるＡｕｄｉｏ再生時間の演算を行うタイミング信号にも用いられる。更に、ＴＳ処理部２００にも入力され、後述する内部基準クロックカウント部４０２のカウント値をラッチするためにも用いられる。これにより、Ａｕｄｉｏ再生時間と同じ瞬間の放送局に同期したクロックの経過時間を求めることが可能となり、同一期間内における２つの時間を、より正確に求めることが可能となるので、放送局と携帯電話機との同期精度が向上できる。
【００３０】
各バッファ３００，３０１，３０２，３０３，３０４は、各々で取り扱うデータサイズが大きいためワークメモリ１２を分割して各種バッファに充てるのが一般的だが、アプリケーションＣＰＵ内に備わる内蔵メモリをそれに充てても構わない。また、バッファ毎に外部のワークメモリ１２と内部メモリに分散して割り当てても良い。
【００３１】
図３は、ＴＳ処理部２００の概略構成の一例を示す構成図である。
【００３２】
ＴＳ処理部２００は、デジタルＴＶ放送用高周波部２１より入力されるＭＰＥＧ２−ＴＳからＰＣＲを分離するＰＣＲ抽出部４００と、携帯電話機のシステムクロックから内部基準クロックを生成する内部基準クロック生成部４０１と、ＰＣＲによる補正によって、放送局に同期したクロックを再現する内部基準クロックカウント部４０２と、ＰＣＲ抽出部４００より出力されたＰＣＲの値と内部基準クロックカウント部４０２のカウント値を比較し、２つの値がズレていた時に内部基準クロックカウント部４０２にカウント値補正情報を出力する比較部４０３と、ＤＭＡＣ転送完了割り込み信号をトリガにして、内部基準クロックカウント部４０２でラッチされたカウント値を保持し、任意のタイミングでＣＰＵコア部２０６からの読み出しを可能にした内部基準クロックカウント値保持部４０４を備える。
【００３３】
内部基準クロックカウント部４０２は、内部基準クロックでカウントアップを行いながら、ＰＣＲの値とカウント値がズレている時には、カウント値補正情報によってカウント値をＰＣＲの値に置き換える様に補正される。このＰＣＲは放送局基準時刻情報であるので、内部基準クロックカウント部４０２は、このＰＣＲに追従するようにカウントアップ動作を行うことができれば、それは内部基準クロックカウント部４０２が放送局に同期したクロックに追従した時間経過を再現していることと同じことを意味する。
【００３４】
内部基準クロックカウント部４０２の補正は、ＰＣＲを受信した時だけ行われるため、ＰＣＲを受信していない時には補正処理は行われない。ＰＣＲによる補正処理が行われない期間は、内部基準クロックが放送局に同期したクロックと同じ進み方をすると仮定して、内部基準クロックによるカウントアップだけが行われる。
【００３５】
図４は、Ａｕｄｉｏ制御部２０５の概略構成の一例を示す構成図である。
【００３６】
Ａｕｄｉｏ制御部２０５は、ＰＣＭデータのｆｓやステレオ／モノラル等の設定を行うＰＣＭデータ処理部５００と、ＰＣＭデータをＡｕｄｉｏ−ＤＡＣ１４に出力するためにＬＲＣＬＫ／ＢＣＬＫ／Ｄａｔａに変換するＤＡＣ−ＩＦ部５０１とを備え、更に、入出力のＰＣＭデータをバッファリングするための入力ＦＩＦＯ（Ｆｉｒｓｔ  Ｉｎ  Ｆｉｒｓｔ  Ｏｕｔ）６００と、出力ＦＩＦＯ６０１とで構成される。
【００３７】
ＰＣＭデータ処理部５００には、予めｆｓを設定する必要がある。正確なＡｕｄｉｏ再生を行うためには、ＰＣＭデータのｆｓを正確に設定する必要があるが、必ずしも、ＰＣＭデータのｆｓと同じ値を設定する必要は無い。詳細は後述するが、例えば、入力ｆｓとＡｕｄｉｏ再生時間との関係は、入力ｆｓ＝２４ｋ［Ｈｚ］（＝ｆｓの補正なしのＡｕｄｉｏ再生時間）に対して、入力ｆｓ＝２４ｋ＋α［Ｈｚ］（＝ｆｓを補正してＡｕｄｉｏ再生時間を短くする）、入力ｆｓ＝２４ｋ−α［Ｈｚ］（＝ｆｓを補正してＡｕｄｉｏ再生時間を長くする）、の調整が行われる。
【００３８】
また、ＰＣＭデータ処理部５００は、フィルタリング処理等によるｆｓ変換によって、入力されたＰＣＭデータのｆｓとは異なる出力ｆｓでＡｕｄｉｏ−ＤＡＣに出力することも可能である。これは、Ａｕｄｉｏ再生用のマスタクロックを持っていない携帯電話機において有効な方法であり、放送局同期と同様に、携帯電話機のシステムクロックで生成可能なｆｓを出力ｆｓとしてＰＣＭデータ処理部５００に設定してＰＣＭデータの再生を行う。
【００３９】
入力ＦＩＦＯ６００は、再生するコンテンツの長さと比べると非常に小容量であるため、アンダーフローやオーバーフローを発生させないように、入力ＦＩＦＯ６００内のデータ量を監視して、必要に応じて次データの転送をＤＭＡＣ２０７に要求する。
【００４０】
次に、図５から図８の、携帯電話機でデジタルＴＶ放送を受信するために必要な放送局との同期を取るための動作フローを用いて、放送局との同期精度を向上させる方法について説明する。
【００４１】
図５は、視聴開始からの一連の動作の一例を示すメインフロー図である。図６は、放送局同期処理において、ＴＳ処理部２００で処理される放送局のＰＣＲに携帯電話機の内部基準クロックを追従させる動作の一例を示すフロー図である。図７は、図５のメインフロー中の「ＰＣＭデータ転送処理」の動作の一例を詳細に示すフロー図である。図８は、図５のメインフロー中の「放送局と携帯電話機の経過時間のズレを補正する処理」の動作の一例を詳細に示すフロー図である。
【００４２】
まず、図５に示すように、ユーザーが入力手段８を操作してデジタルＴＶ放送の視聴を開始させると、デジタルＴＶ放送用アンテナ２０で受信した電波からチャネル情報等を解読し、初期化設定を行う（Ｓ１００）。続けて、放送局同期方法に必要な、リファレンス時間格納バッファとＡｕｄｉｏ再生時間格納バッファの初期化を行う（Ｓ１０１）。この両バッファは、ワークメモリ１２内に割り当てられるのが一般的だが、アプリケーションＣＰＵ１０に内蔵されるメモリで対応可能であれば、それを充てても構わない。
【００４３】
ＴＳ処理部２００は、受信した電波よりＭＰＥＧ２−ＴＳを抽出し、ＴＳバッファ３００に蓄積する（Ｓ１０２）。この時、合わせて、内部基準クロックカウント部４０２が放送局に同期したクロックに追従するために必要なＰＣＲの抽出も行われる。ＴＳバッファ３００に蓄積されたＭＰＥＧ２−ＴＳは、ＴＳ−ＤｅＭｕｘ部２０１でＶｉｄｅｏ−ＥＳとＡｕｄｉｏ−ＥＳに分割され、各々、Ｖｉｄｅｏ−ＥＳバッファ３０１とＡｕｄｉｏ−ＥＳバッファ３０３に蓄積される（Ｓ１０３）。本発明の場合、ＡＶ同期はＡｕｄｉｏ再生タイミングを基準とするため、Ａｕｄｉｏ処理の裏で、Ｖｉｄｅｏ−ＥＳバッファに蓄積されたＶｉｄｅｏ−ＥＳがＶｉｄｅｏデコード部２０２でデコードされ、Ａｕｄｉｏ再生タイミングに合わせて表示制御部２０３から表示手段１３に転送され、描画処理が行われる（Ｓ１０８）。
【００４４】
Ａｕｄｉｏ−ＥＳバッファ３０３に溜まったＡｕｄｉｏ−ＥＳは、Ａｕｄｉｏデコード部２０４でデコードされてＰＣＭデータに変換され、ＰＣＭデータバッファ３０４に蓄積される（Ｓ１０４）。ＰＣＭデータバッファ３０４内のＰＣＭデータは、ＤＭＡＣ２０７によってＡｕｄｉｏ制御部２０５に転送されて（Ｓ１０５）、Ａｕｄｉｏ再生が行われるが（Ｓ１０７）、その際に、放送局のＰＣＲによって補正された、放送局に同期したクロックを再現した内部基準クロックカウント部４０２のカウントアップ時間に対してＡｕｄｉｏ再生時間を比較して、Ａｕｄｉｏ再生時間の遅れ／進みのズレを求め、このズレが無くなるようにＰＣＭデータ処理部５００に設定する入力ｆｓを補正し（Ｓ１０６）、携帯電話機のＡｕｄｉｏ再生時間を放送局の時間経過に合わせることで放送局に携帯電話機を同期させて、番組を視聴する。ここで、入力ｆｓの補正幅は、人間の聴覚特性に対して許容できる範囲内とすることで、再生音声の歪みや不自然さ等は抑えられる。このＳ１０５とＳ１０６が、放送局同期の同期精度向上の説明個所であり、後述する図６と図７で詳細に説明する。
【００４５】
デジタルＴＶ放送の視聴を終了する場合は、ユーザーは終了キーを押下することになるが（Ｓ１０９）、終了キーが押下されていない場合（Ｓ１０９のＮｏ）は、再び、放送信号波からＭＰＥＧ２−ＴＳを抽出し（Ｓ１０２）、放送局と同期を維持しながら視聴を継続する。終了キーが押下された場合（Ｓ１０９のＹｅｓ）は、全ての処理部を停止し、視聴を終了する。
【００４６】
続いて、ＴＳ処理部２００において、放送局のＰＣＲに携帯電話機の内部基準クロックを追従させる動作を、図６を用いて説明する。
【００４７】
図６に示すように、ＰＣＲ追従動作を開始させると、内部基準クロック生成部４０１に入力されたシステムクロック９を源クロックとして、内部基準クロックが生成される。内部基準クロックカウント部４０２は内部基準クロックによって、カウントアップ動作を行う（Ｓ２００）。ＰＣＲ抽出部４００は、ＭＰＥＧ２−ＴＳに重畳されているＰＣＲの取得を行う（Ｓ２０１）。これは、放送局に同期したクロックに内部基準クロックを追従させるのに利用するためである。ＰＣＲが抽出できない時は、内部基準クロックカウント部４０２は補正処理を行わず、内部基準クロックによるカウントアップ動作のみを継続する（Ｓ２０１のＮｏ）。
【００４８】
ＰＣＲが抽出できたら（Ｓ２０１のＹｅｓ）、抽出したＰＣＲの値と現在の内部基準クロックカウント部４０２のカウント値を比較する（Ｓ２０２）。両方の値が一致していれば（Ｓ２０２のＹｅｓ）、放送局に同期したクロックと内部基準クロックの時間の進み方が同じであると判断され、内部基準クロックカウント部４０２のカウント値を補正しないで、次のＰＣＲを受信するまで内部基準クロックによるカウントアップ動作を継続する。
【００４９】
両方の値が一致しなかったら（Ｓ２０２のＮｏ）、放送局に同期したクロックと内部基準クロックの時間の進み方がズレたと判断され、内部基準クロックを放送局に同期したクロックに合わせる必要が生じる。そこで、現在の内部基準クロックカウント部４０２のカウント値をＰＣＲ抽出部４００によって抽出されたＰＣＲの値に置き換える（Ｓ２０３）。そして、次のＰＣＲを受信するまで内部基準クロックによるカウントアップ動作を継続する。
【００５０】
上記、内部基準クロックのＰＣＲ追従処理は、デジタルＴＶ放送を受信している間は決して休むこと無く、動作し続ける（Ｓ２０４のＮｏ）。終了キーが押下された場合（Ｓ２０４のＹｅｓ）は、ＰＣＲ追従動作は停止する。
【００５１】
続いて、上記図５のメインフローにおけるＰＣＭデータ転送処理フロー（Ｓ１０５）を、図７を用いて説明する。
【００５２】
図７に示すように、ＰＣＭデータ転送処理を開始させると、Ａｕｄｉｏデコード部２０４でデコードされたＰＣＭデータは、ＰＣＭデータバッファ３０４に蓄積されるが、デコード時にＡｕｄｉｏデータのパラメータ抽出が行われる。ＣＰＵコア部２０６は、それらパラメータをＡｕｄｉｏ制御部２０５に設定する（Ｓ３００）。ここで設定されるパラメータには、入力ｆｓ値やステレオ／モノラル情報等がある。また、ＣＰＵコア部２０６は、合わせてＤＭＡＣ２０７に転送サンプル数や転送方法等を設定する。
【００５３】
パラメータ設定が終了し、ＰＣＭデータバッファ３０４にＰＣＭデータが溜まったら、ＣＰＵコア部２０６はＤＭＡＣ２０７にＰＣＭデータの転送開始を指示する（Ｓ３０１）。この時、ＣＰＵコア部２０６は、ＰＣＭデータ転送開始時の内部基準クロックカウント部４０２のカウント値を記憶しておく（Ｓ３０２）。このＰＣＭデータ転送開始時のカウント値は、放送局に同期したクロックの経過時間を演算するために使用する。
【００５４】
ＤＭＡＣ２０７は、ＣＰＵコア部２０６からのＰＣＭデータ転送開始命令を受けると、ＰＣＭデータバッファ３０４に蓄積されたＰＣＭデータを、順次、Ａｕｄｉｏ制御部２０５の入力ＦＩＦＯ６００に転送する（Ｓ３０３）。入力ＦＩＦＯ６００に転送されたＰＣＭデータは、Ｓ３００で設定した入力ｆｓ値の周期でＡｕｄｉｏ−ＤＡＣ１４に転送される。その後、Ｓ３００で設定したサンプル数のＰＣＭデータが転送されたか確認を行う（Ｓ３０４）。
【００５５】
設定したサンプル数の転送が完了していない場合（Ｓ３０４のＮｏ）は、Ａｕｄｉｏ再生されることで、入力ＦＩＦＯ６００内のＰＣＭデータは減少するので、Ａｕｄｉｏ制御部２０５からＤＭＡＣ２０７に対して、次ＰＣＭデータの転送要求が発行され（Ｓ３０５）、ＰＣＭデータバッファ３０４から次のＰＣＭデータが入力ＦＩＦＯ６００に転送される（Ｓ３０６）。そして、Ｓ３００で設定したサンプル数のＰＣＭデータがＡｕｄｉｏ制御部２０５に転送されるまで、Ｓ３０４とＳ３０５を続ける。
【００５６】
設定したサンプル数の転送が完了すると（Ｓ３０４のＹｅｓ）、ＤＭＡＣ２０７はＣＰＵコア部２０６と内部基準クロックカウント部４０２に対してＤＭＡＣ転送完了割り込みを出力し（Ｓ３０７）、図５のメインフローに戻り、次のステップである放送局との同期処理（Ｓ１０６）に移る。
【００５７】
ＤＭＡＣ転送完了割り込みを出力した後は、一旦、メインフローに戻り、放送局との同期処理（Ｓ１０６）を行うが、デジタルＴＶ放送の視聴を続けている限りは、直ぐに、本ＰＣＭデータ転送処理フローに戻り、再生するＡｕｄｉｏが途切れる前に、次のＰＣＭデータの転送処理を引き続き行う。
【００５８】
２回目以降に行われるＰＣＭデータ転送処理は、放送局との同期処理（Ｓ１０６）によってＡｕｄｉｏ再生時間を調整するための入力ｆｓ設定値の補正が施されている。この入力ｆｓ設定値を補正することによって、本来、ＰＣＭデータが再生される時間と実際にＡｕｄｉｏ−ＤＡＣ１４に出力されて再生する時間に差を生じさせ、この差を用いて、内部基準クロックカウント部４０２によって再現される放送局に同期したクロックの経過時間と携帯電話機のＡｕｄｉｏ再生時間のズレを補正して、放送局との同期を取る。
【００５９】
続いて、上記図５のメインフローにおける、放送局と携帯電話機の経過時間のズレを補正する処理フロー（Ｓ１０６）を、図８を用いて説明する。
【００６０】
この処理フローが実行される時には、上記図６で示した内部基準クロックのＰＣＲ追従動作によって内部基準クロックカウント部４０２は放送局に同期したクロックに追従し、更に、上記図７で示したＰＣＭデータ転送処理によって、Ｓ３００で設定したサンプル数分のＰＣＭデータをＡｕｄｉｏ制御部２０５に転送され、ＤＭＡＣ２０７からＤＭＡＣ転送完了割り込みがＣＰＵコア部２０６と内部基準クロックカウント部４０２に出力されている。
【００６１】
内部基準クロックカウント部４０２は、携帯電話機内で唯一、放送局に同期したクロックを再現しているが、同期の精度を上げるためには、同じ期間内で、より正確なＡｕｄｉｏ再生時間と放送局に同期したクロックの経過時間を得る必要がある。この同じ期間内で、より正確なＡｕｄｉｏ再生時間と放送局に同期したクロックの経過時間を得るための期間として、携帯電話機における一定サンプル数のＰＣＭデータが再生される時間を用いた。ＰＣＭデータを再生する時間は、携帯電話機内で最も正確で安定した時間であるので、一定サンプル数のＰＣＭデータが再生される時間を、放送局に同期したクロックの経過時間と携帯電話機のＡｕｄｉｏ再生時間の比較を行うための単位期間とすることとした。
【００６２】
次に、同じ期間内の放送局に同期したクロックの経過時間とＡｕｄｉｏ再生時間を、より正確に得る方法だが、携帯電話機のＡｕｄｉｏ再生時間は、再生するＰＣＭデータのｆｓ設定値とサンプル数によって、
Ａｕｄｉｏ再生時間＝１／ｆｓ設定値×サンプル数［ｓｅｃ］・・・（式１）
式（１）によって計算で求めることが可能である。
【００６３】
これに対し、放送局に同期したクロックの経過時間における単位期間当たりの時間をリファレンス時間とし、内部基準クロックカウント部４０２におけるＰＣＭデータの転送開始時点のカウント値と、Ａｕｄｉｏ制御部２０５への一定サンプル数のＰＣＭデータ転送完了時点のカウント値によって、
リファレンス時間＝（転送開始時のカウント値−転送完了時のカウント値）
×１／内部基準クロック［ｓｅｃ］・・・（式２）
式（２）によって計算で求めることが可能である。
【００６４】
そのために、一定サンプル数のＰＣＭデータ転送完了時点における内部基準クロックカウント部４０２のカウント値が必要になる。このカウント値を、如何にＰＣＭデータ転送完了時点に近づけられるかで、放送局に同期したクロックの経過時間の精度が決まる。そこで、ＰＣＭデータ転送完了の割り込み信号を、直接、内部基準クロックカウント部４０２に入力し、転送完了時の割り込み信号で内部基準クロックカウント部４０２ラッチして、カウント値を内部基準クロックカウント値保持部４０４に保持させることとした。これによって、転送完了時点の内部基準クロックカウント部４０２のカウント値を得ることが可能になり、同期精度を向上させることが出来る。
【００６５】
図８に示すように、放送局と携帯電話機の経過時間のズレ補正処理を開始させると、内部基準クロックカウント部４０２は、ＤＭＡＣ転送完了割り込みをトリガにしてカウント値をラッチし、内部基準クロックカウント値保持部４０４に保持する（Ｓ４００）。ＣＰＵコア部２０６は、内部基準クロックカウント値保持部４０４に保持されたＤＭＡＣ転送完了割り込み発生時のカウント値を読み出し、（式２）によってリファレンス時間を算出する（Ｓ４０１）。
【００６６】
リファレンス時間は、ＰＣＭデータの転送開始からＤＭＡＣ転送完了割り込み信号が出力されるまでの時間であり、ＤＭＡＣ転送完了割り込み信号をトリガにラッチした内部基準クロックのカウント値と、Ｓ３０２で記憶したＰＣＭデータ転送開始直後の内部基準クロックのカウント値との差で求められる。算出されたリファレンス時間は、リファレンス時間格納バッファに格納される（Ｓ４０２）。
【００６７】
続けて、ＣＰＵコア部２０６は、（式１）によってＡｕｄｉｏ再生時間を算出する（Ｓ４０３）。リファレンス時間はＰＣＭデータの再生開始から現在までの時間であるのに対して、Ａｕｄｉｏ再生時間は一定サンプル数毎の時間であり、再生開始からの時間ではない。ＣＰＵコア部２０６は、ＰＣＭデータ転送開始から計算で求められる一定サンプル数毎のＡｕｄｉｏ再生時間を累積して、Ａｕｄｉｏ再生時間格納バッファに格納する（Ｓ４０４）。
【００６８】
次に、ＰＣＭデータ転送開始から、再現した放送局に同期したクロックから求まるリファレンス時間と携帯電話機のＡｕｄｉｏ再生時間にズレが起きていないかを調べる（Ｓ４０５）。もし、両時間にズレが無い場合（Ｓ４０５のＹｅｓ）は、放送局の時間の進み方と携帯電話機の時間の進み方が同じであると判断できるため、特に補正処理は行わず、上記図５のメインフローに戻り、Ａｕｄｉｏ再生動作を継続する。
【００６９】
もし、ズレが有った場合（Ｓ４０５のＮｏ）は、放送局の時間の進み具合に携帯電話機のＡｕｄｉｏ再生時間の進み具合を合わせる様に、ＰＣＭデータ再生時のＰＣＭデータ処理部５００の入力ｆｓ設定値を補正して、Ａｕｄｉｏ再生時間の調整を行う。まず、ＰＣＭデータ処理部５００の入力ｆｓ設定値を補正するために、リファレンス時間に対するＡｕｄｉｏ再生時間の進み方を調べ、その結果から、入力ｆｓ設定値をプラス側に補正するのか、マイナス側に補正するのかを判断する（Ｓ４０６）。
【００７０】
Ａｕｄｉｏ再生時間の方が進んでいる場合（Ｓ４０６のＹｅｓ）は、ＰＣＭデータが再生される時間の方が早いと言うことになるため、次のＰＣＭデータ転送時の入力ｆｓ設定値を、現在の入力ｆｓ設定値よりマイナス側に補正する（Ｓ４０７）。逆に、リファレンス時間の方が進んでいる場合（Ｓ４０６のＮｏ）は、ＰＣＭデータが再生される時間の方が遅いと言うことになるため、次のＰＣＭデータ転送時の入力ｆｓ設定値を、現在の入力ｆｓ設定値よりプラス側に補正する（Ｓ４０８）。この時のｆｓ補正幅は、人間の聴覚特性に対して許容できる範囲内での補正とする。
【００７１】
例えば、ＰＣＭデータのｆｓを２４ｋＨｚとし、ＤＭＡＣによる転送サンプル数を１０２４ｓａｍｐｌｅとすると、入力ｆｓによる補正を行わない場合では、ｆｓ＝２４ｋＨｚのＰＣＭデータを入力ｆｓ＝２４ｋＨｚのタイミングで再生するので、１０２４ｓａｍｐｌｅのＰＣＭデータの再生時間は１／２４０００×１０２４≒４２．６６７ｍｓｅｃとなる。
【００７２】
これに対し、Ａｕｄｉｏ再生時間の方が進んでいる場合はＰＣＭデータが再生される時間の方が早いため、入力ｆｓ設定値をマイナス側に補正することで、ＰＣＭデータが再生される時間を遅らせる。例えば、マイナス側に１０Ｈｚの補正を行うと、ｆｓ＝２４ｋＨｚのＰＣＭデータを入力ｆｓ＝２３．９９０ｋＨｚのタイミングで再生することになり、１０２４ｓａｍｐｌｅのＰＣＭデータの再生時間は１／２３９９０×１０２４≒４２．６８４ｍｓｅｃとなり、入力ｆｓの補正を行わない場合に比べ、再生時間を約０．１７ｍｓｅｃ遅らすことができる。
【００７３】
逆に、リファレンス時間の方が進んでいる場合はＰＣＭデータが再生される時間の方が遅いため、入力ｆｓ設定値をプラス側に補正することで、ＰＣＭデータが再生される時間を進ませられる。例えば、プラス側に１０Ｈｚの補正を行うと、ｆｓ＝２４ｋＨｚのＰＣＭデータを入力ｆｓ＝２４．０１０ｋＨｚのタイミングで再生することになり、１０２４ｓａｍｐｌｅのＰＣＭデータの再生時間は１／２４０１０×１０２４≒４２．６４９ｍｓｅｃとなり、入力ｆｓの補正を行わない場合に比べ、再生時間を約０．１８ｍｓｅｃ進ませることができる。
【００７４】
上記の方法でＡｕｄｉｏ再生時間を調整すれば、実際に再生しているＰＣＭデータのデータ数を変えずに済み、更に、ｆｓ補正幅も人間の聴覚特性に対して許容される程度にあらかじめ規定された範囲内で行えるので、再生音声の歪みや不自然さ等を抑えることが可能になる。一般に、人間の聴覚特性に対して許容できる範囲は、０．２％程度と言われているので、例えばｆｓ＝２４ｋＨｚの場合、ｆｓ補正幅は２４ｋＨｚ±４８Ｈｚ程度となる。
【００７５】
本実施の形態によれば、携帯端末機に２７ＭＨｚのＶＣＯ等の部品を追加すること無く、再生音声の歪みを抑えながら、携帯端末機の放送局同期における同期精度向上が実現可能となる。これによって、携帯端末機に対しては余分な部品追加が生じないので、安価で小さい携帯端末機の提供が可能になる。
【００７６】
更には、余計な消費電流の増加を抑えられるので、デジタルＴＶ放送の長時間連続視聴が可能になる。
【００７７】
また、再生時のｆｓを人間の聴覚特性に対して許容できる範囲内でｆｓ補正を行うことで、補正による再生音声に対するピッチのズレ等の影響を抑えることが可能となる。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７９】
本発明は、デジタルＴＶ放送受信システムにおける放送局同期技術に関し、特に、デジタルＴＶ放送受信機能を有する携帯端末機に適用され、携帯電話機や、携帯電話機以外のＰＨＳ、ＰＤＡ等の同様の構成による受信側の機器に広く適用可能である。
【図面の簡単な説明】
【００８０】
【図１】本発明の一実施の形態における携帯電話機の概略構成の一例を示すブロック構成図である。
【図２】本発明の一実施の形態において、デジタルＴＶ放送を受信するために必要となるアプリケーションＣＰＵ内の概略構成図の一例と、映像・音声データの流れの一例を示す図である。
【図３】本発明の一実施の形態において、ＴＳ処理部の概略構成の一例を示す構成図である。
【図４】本発明の一実施の形態において、Ａｕｄｉｏ制御部の概略構成の一例を示す構成図である。
【図５】本発明の一実施の形態において、視聴開始からの一連の動作の一例を示すメインフロー図である。
【図６】本発明の一実施の形態において、放送局同期処理において、ＴＳ処理部で処理される放送局のＰＣＲに携帯電話機の内部基準クロックを追従させる動作の一例を示すフロー図である。
【図７】本発明の一実施の形態において、図５のメインフロー中の「ＰＣＭデータ転送処理」の動作の一例を詳細に示すフロー図である。
【図８】本発明の一実施の形態において、図５のメインフロー中の「放送局と携帯電話機の経過時間のズレを補正する処理」の動作の一例を詳細に示すフロー図である。
【符号の説明】
【００８１】
１…アンテナ、２…無線通信手段、３…符号復号処理手段、４…マイク、５…レシーバ、６…通信用ＣＰＵ、７…通信用メモリ、８…入力手段、９…システムクロック、１０…アプリケーションＣＰＵ、１１…アプリケーションＣＰＵ用メモリ、１２…ワークメモリ、１３…表示手段、１４…Ａｕｄｉｏ−ＤＡＣ、１５…スピーカ、２０…デジタルＴＶ放送受信用アンテナ、２１…デジタルＴＶ放送用高周波部、２００…ＴＳ処理部、２０１…ＴＳ−ＤｅＭｕｘ部、２０２…Ｖｉｄｅｏデコード部、２０３…表示制御部、２０４…Ａｕｄｉｏデコード部、２０５…Ａｕｄｉｏ制御部、２０６…ＣＰＵコア部、２０７…ＤＭＡＣ、３００…ＴＳバッファ、３０１…Ｖｉｄｅｏ−ＥＳバッファ、３０２…描画データバッファ、３０３…Ａｕｄｉｏ−ＥＳバッファ、３０４…ＰＣＭデータバッファ、４００…ＰＣＲ抽出部、４０１…内部基準クロック生成部、４０２…内部基準クロックカウント部、４０３…比較部、４０４…内部基準クロックカウント値保持部、５００…ＰＣＭデータ処理部、５０１…ＤＡＣ−ＩＦ部、６００…入力ＦＩＦＯ、６０１…出力ＦＩＦＯ。
【図１】
2006129142.tif 000003
【図２】
2006129142.tif 000004
【図３】
2006129142.tif 000005
【図４】
2006129142.tif 000006
【図５】
2006129142.tif 000007
【図６】
2006129142.tif 000008
【図７】
2006129142.tif 000009
【図８】
2006129142.tif 000010